(57)【要約】【課題】パチンコ機の設置状態や製造時における回転部材の本体への組み付け状態による影響を受けることなく、抽選の公平化を図ることができるパチンコ機の入賞球振分け装置を提供すること。【解決手段】可動片１１により開放及び閉鎖される球入口７を本体の上方に配置し、球入口から流入した入賞球をモータ２８によって回転される回転部材３０に向けて落下させ、回転部材３０の遠心力作用によって外方へ飛び出した入賞球を普通入賞口又は特別遊技状態を発生させる特定入賞口の何れかに流入させるように設けられた入賞球振分け装置において、回転部材３０の回転軸３１を垂直方向に配置し、その回転部材３０の下方に、複数の普通入賞口４０と特定入賞口４１を備えた抽選部材３８をモータ３５によって回転自在に設け、回転部材３０から外方へ飛び出した入賞球を抽選部材３８上に放出させて普通入賞口４０又は特定入賞口４１の何れかに流入させる。【選択図】図１
2007175259.tif 000002
【特許請求の範囲】
【請求項１】
可動片により開放及び閉鎖される球入口を本体の上方に配置し、その球入口から流入した入賞球を該本体内に設けられたモータによって回転される回転部材に向けて落下させ、その回転部材の遠心力作用によって外方へ飛び出した入賞球を普通入賞口又は特別遊技状態を発生させる特定入賞口の何れかに流入させるように設けられたパチンコ機の入賞球振分け装置において、
前記回転部材が固定された回転軸を垂直方向に配置し、その回転部材の下方に、複数の普通入賞口と特定入賞口を備えた抽選部材をモータによって回転自在に設け、前記回転部材から外方へ飛び出した入賞球を該抽選部材上に放出させて普通入賞口又は特定入賞口の何れかに流入させるように構成したことを特徴とするパチンコ機の入賞球振分け装置。
【請求項２】
前記回転部材は、上方が開放された椀形状に形成されていて、当該回転部材の中心から偏心した位置に前記回転軸を設けたことを特徴とする請求項１に記載したパチンコ機の入賞球振分け装置。
【請求項３】
前記抽選部材が、前記回転部材の回転軸を中心として回転するルーレット盤形態とされていて、等角度間隔に区画された抽選領域に普通入賞口と特定入賞口とを配置したことを特徴とする請求項１又は２に記載したパチンコ機の入賞球振分け装置。
【請求項４】
前記回転部材の回転方向を前記抽選部材の回転方向と逆方向に回転制御するように設定したことを特徴とする請求項１〜３の何れかに記載したパチンコ機の入賞球振分け装置。
【発明の詳細な説明】
【技術分野】
【０００１】
本発明は、遊技者により打ち込まれて入賞した遊技球を抽選によって二つの入賞経路に振り分けるようにしたパチンコ機の入賞球振分け装置に関する。
【背景技術】
【０００２】
一般的に羽根物といわれるパチンコ機の型式では、遊技領域に設けられた複数の始動口のうちの何れかの始動口に遊技球が入賞すると、主役物たる可変入賞装置の可動片（開閉片）が１回又は２回だけ開放状態とされる。その可動片の開放中に、可変入賞装置の内部に設けられた特別遊技状態（大当たり状態）を発生させる特定入賞領域（Ｖゾーン）に遊技球が入賞することにより大当たり状態を発生させるという構成とされている。また、入賞球が特定入賞領域以外の普通入賞口に入った場合には、大当たり状態を発生しないように設けられている。
【０００３】
この種のパチンコ機として、例えば、特開平８−７１２１７号公報に開示されたものがある。そのパチンコ機は、複数の一般入賞口を周面に設けると共に底部中心に特別入賞口を備えた軸筒を設けた椀形状の回転体を、その軸筒の中心を前方へやや傾けた状態にてケース内に配置し、回転体の回転速度を制御することにより特別入賞口に振り分ける確率をゲーム中に切り替える構造とされている。
【０００４】
ところが、上記パチンコ機では、特別入賞口を備えた軸筒の中心が前方へやや傾けた状態とされているため、パチンコホールの島設備に対してパチンコ機を取付ける際にパチンコ機の設置を正確に行なわないと、回転体の傾斜角度が変わって特別入賞口に振り分ける確率にバラツキが生ずる。しかして、遊技者は正常な状態で遊技を行うことができず、遊戯の興趣をそがれる。また、製造時における回転体の本体への組み付け状態や遊技盤に対する取り付け状態によっても前記確率に影響を生ずる。
【特許文献１】特開平８−７１２１７号公報
【発明の開示】
【発明が解決しようとする課題】
【０００５】
本発明の目的は、パチンコ機の設置状態や製造時における回転部材の本体への組み付け状態による影響を受けることなく、抽選（特定入賞口に振り分ける確率）の公平化を図ることができるパチンコ機の入賞球振分け装置を提供することにある。
【課題を解決するための手段】
【０００６】
前記目的を達成するために請求項１に記載した発明は、可動片により開放及び閉鎖される球入口を本体の上方に配置し、その球入口から流入した入賞球を該本体内に設けられたモータによって回転される回転部材に向けて落下させ、その回転部材の遠心力作用によって外方へ飛び出した入賞球を普通入賞口又は特別遊技状態を発生させる特定入賞口の何れかに流入させるように設けられたパチンコ機の入賞球振分け装置において、前記回転部材が固定された回転軸を垂直方向に配置し、その回転部材の下方に、複数の普通入賞口と特定入賞口を備えた抽選部材をモータによって回転自在に設け、前記回転部材から外方へ飛び出した入賞球を該抽選部材上に放出させて普通入賞口又は特定入賞口の何れかに流入させるように構成したことを特徴とする。
【０００７】
同様の目的を達成するために請求項２に記載した発明は、請求項１に記載したパチンコ機の入賞球振分け装置において、前記回転部材は、上方が開放された椀形状に形成されていて、当該回転部材の中心から偏心した位置に前記回転軸を設けたことを特徴とするものである。
【０００８】
同様の目的を達成するために請求項３に記載した発明は、請求項１又は２に記載したパチンコ機の入賞球振分け装置において、前記抽選部材が、前記回転部材の回転軸を中心として回転するルーレット盤形態とされていて、等角度間隔に区画された抽選領域に普通入賞口と特定入賞口とを配置したことを特徴とするものである。
【０００９】
同様の目的を達成するために請求項４に記載した発明は、請求項１〜３の何れかに記載したパチンコ機の入賞球振分け装置において、前記回転部材の回転方向を前記抽選部材の回転方向と逆方向に回転制御するように設定したことを特徴とするものである。
【発明の効果】
【００１０】
（請求項１の発明）
このパチンコ機の入賞球振分け装置は、球入口から流入した入賞球を回転部材により一端受け止めてから抽選部材上に放出させて特定入賞口に入るか否か（当りかハズレか）の抽選を行なうように構成しているので、パチンコ機の設置状態や製造時における回転部材の本体への組み付け状態による影響を受けることなく、抽選の公平化を図ることができる。また、抽選部材の回転状況を予測して遊技球を狙い打ちすることができない構成とされていることから、抽選のさらなる公平化を図ることができる。
【００１１】
（請求項２の発明）
このパチンコ機の入賞球振分け装置は、回転部材の中心から偏心した位置に回転軸を設けているので、入賞球の飛び出し方に変化を生じて遊技に対する興趣が高められる。
【００１２】
（請求項３の発明）
このパチンコ機の入賞球振分け装置は、抽選部材をルーレット形態としているので、特定入賞口に入るか否かの期待感を惹起させることができる。
【００１３】
（請求項４の発明）
このパチンコ機の入賞球振分け装置は、回転部材の回転方向を抽選部材の回転方向と逆方向に回転するように設定しているので、遊技球が勢いよく転動して抽選状況に変化を付与することができる。
【発明を実施するための最良の形態】
【００１４】
以下に、本発明の最良の形態例を図面に基づいて説明する。図１は本発明に係るパチンコ機の入賞球振分け装置の正面図、図２は入賞球振分け装置の要部を模式的に示す説明図、図３は抽選部材に対する回転部材の位置関係を示す説明図である。
【００１５】
図１に示す本発明に係るパチンコ機の入賞球振分け装置１は、複数の取付穴３を設けた取付板２により遊技盤面に取り付けられ、遊技者により遊技領域に打ち込まれて入賞した遊技球を後述する抽選機構２０による抽選によって二つの入賞経路としての普通入賞口４０又は特定入賞口４１に振り分ける構造とされている。
【００１６】
上記取付板２には、最上方中央部に扁平な山形状案内片４と、その案内片４から下方へ所定間隔をおいてステージ５とが前方に突出するように一体に形成されている。そのステージ５には、中央の山形部５ａから左右に夫々離れた箇所の平坦部５ｂに通過口６を形成し、それら通過口６の下部に入賞球検出スイッチ１０を収める収容部５ｃを夫々設けている。案内片４とステージ５の左右端縁に生ずる空間部は、球入口７，７とされている。
【００１７】
上記球入口７，７には、一対の可動片１１，１１が軸１２，１２により夫々回転可能に支持されている。可動片１１，１１は、図示しないアクチュエータの作動により逆ハ字形に傾動することにより球入口７，７を開放し、及び起立することにより球入口７，７を閉鎖するように設けられている。
【００１８】
１５はステージ５の下部に連接されたほぼ漏斗形状の誘導樋である。図３に示すように、この誘導樋１５は、上方の開口部１５ａが四角形に形成されていて、底部１５ｂの中央に排出口１６を設けている。前記取付板２の裏面側には、図示しない箱形の本体が設けられており、その本体に該誘導樋１５及び後述する抽選機構２０が内蔵されている。
【００１９】
なお、上記取付板２には、抽選機構２０の前側を覆うカバー８が設けられ、このカバー８に形成された窓孔８ａにアクリル樹脂製の透明板９が装着されている。
【００２０】
図２において、抽選機構２０のケース２１には、後述する抽選部材３８の普通入賞口４０に入った入賞球を合流させて排出する排出口２２と、特定入賞口４１に入った入賞球を排出する排出樋２３とが配設されている。２５は排出口２２に取付けられた普通入賞口通過検出スイッチ、２６は排出樋２３の出口２３ａに取付けられた特定入賞口通過検出スイッチである。
【００２１】
２８はケース２１内に出力軸２８ａを上向きで垂直方向に設けられたモータである。その出力軸２８ａには、回転部材３０が固定された回転軸３１が取付けられている。回転部材３０は、上方が開放された浅い椀形状に形成されていて、当該回転部材３０の中心から偏心した位置に回転軸３１が設けられている。また、その回転軸３１は、前記誘導樋１５の排出口１６のほぼ真下に配置されている。
【００２２】
３３は前記回転部材３０の回転軸３１を中心として、ケース２１の上面に回転自由に設けられたルーレット体である。３４はルーレット体３３の外周壁３３ａの周方向にに設けられたギヤである。このギヤ３４には、ケース２１の側面に設けられたモータ３５の出力軸３５ａに固定された駆動ギヤ３６が噛合するように設けられている。しかして、ルーレット体３３は、モータ３５の駆動制御により回転部材３０の回転方向と逆方向に回転するように設けられている。
【００２３】
３８はルーレット体３３の中心に配置されたルーレット盤形態の抽選部材である。この抽選部材３８は、等角度間隔にて各々の突条３８ａにより区画された各抽選領域３９に複数（この実施形態では９個）の普通入賞口４０と１つの特定入賞口４１とが夫々１個ずつ配置されるように設けられている。
【００２４】
これにより、モータ２８の駆動により回転する回転部材３０上に落下した入賞球を、回転部材３０の遠心力作用によって外方へ飛び出させ、その飛び出した入賞球をモータ３５の駆動により回転する抽選部材３８上に放出して抽選領域３９を回転させることにより、普通入賞口４０又は特定入賞口４１の何れかに流入させる、言い換えれば、「当たり」か「ハズレ」かの抽選を行なう抽選機構２０が構成される。
【００２５】
つぎに、かかる構成になる本発明のパチンコ機の入賞球振分け装置１の作用について説明する。
遊技者により遊技領域に打ち込まれた遊技球ａが、可動片１１を開放した状態の入賞球振分け装置１の何れかの球入口７に流入すると、その入賞球（遊技球）はステージ５上を転動して何れかの通過口６に入って誘導樋１５内に落下する。誘導樋１５内に落下した入賞球は、モータ２８の駆動により回転する回転部材３０の上に落下し、回転部材３０の遠心力作用によって外方へ飛び出す。ついで、その飛び出した入賞球は、モータ３５の駆動により回転する抽選部材３８上に放出されて抽選領域３９を回転し、普通入賞口４０又は特定入賞口４１の何れかに流入して抽選が行なわれる。普通入賞口４０に入った入賞球は、排出口２２を通過しその通過を普通入賞口通過検出スイッチ２５により検出される。他方、特定入賞口４１に入った入賞球は、排出樋２３を通って出口２３ａを通過しその通過を特定入賞口通過検出スイッチ２６により検出され、公知の大当たり状態となる。なお、上記抽選の状況については、透明板９を介して観察することができる。
【００２６】
以上に述べた通り、このパチンコ機の入賞球振分け装置は、球入口から流入する入賞球を回転部材により一端受け止めてから抽選部材上に放出させて特定入賞口に入るか否かの抽選を行なうようにしているので、パチンコ機の設置状態や製造時における回転部材の本体への組み付け状態による影響を受けることなく、抽選の公平化を図ることができる。
【図面の簡単な説明】
【００２７】
【図１】本発明に係るパチンコ機の入賞球振分け装置の正面図
【図２】入賞球振分け装置の要部を模式的に示す説明図
【図３】抽選部材に対する回転部材の位置関係を示す説明図
【符号の説明】
【００２８】
１・・・パチンコ機の入賞球振分け装置
７，７・・・球入口
１１，１１・・・可動片
２０・・・抽選機構
２８・・・モータ
３０・・・回転部材
３１・・・回転軸
３５・・・モータ
３８・・・抽選部材
３９・・・抽選領域
４０・・・普通入賞口
４１・・・特定入賞口
【図１】
2007175259.tif 000003
【図２】
2007175259.tif 000004
【図３】
2007175259.tif 000005